(57)【要約】【課題】発生間伐材を利用し、斜面緑化において容易な施工性と十分景観性を実現する。【解決手段】所定展開形状の板紙材を折り曲げて、上方が開放された細長箱状体１１を組み立て、細長箱状体１１の複数個を、施工対象斜面２上に格子枠を構成するように縦横方向に配置する。箱底面を貫通するように支持杭を斜面２に打ち込んで、斜面２上に位置固定する。隣接配置された他の細長箱状体の端面との間を連結具で連結して、格子枠全体を斜面上に一体的に固定し、箱内部に間伐材破砕材４を充填する。【選択図】　図９
2004052435.tif 000002
【特許請求の範囲】
【請求項１】
所定展開形状の板紙材を折り曲げて、上方が開放された細長箱状体を組み立て、該細長箱状体の複数個を、施工対象斜面上に格子枠を構成するように縦横方向に配置し、箱底面を貫通するように支持杭を前記斜面に打ち込んで、斜面上に位置固定するとともに、隣接配置された他の細長箱状体の端面との間を連結具で連結して、前記格子枠を斜面上に一体的に固定し、箱内部に間伐材破砕材を充填してなることを特徴とする組立法枠。
【請求項２】
前記板紙材は、撥水加工材であることを特徴とする請求項１記載の組立法枠。
【請求項３】
前記支持杭と連結具とは、間伐材加工品であることを特徴とする請求項１記載の組立法枠。
【請求項４】
前記支持杭と連結具とは、前記細長箱状体の所定位置に形成された開孔を介して位置決めされ、施工されることを特徴とする請求項３記載の組立法枠。
【請求項５】
前記間伐材破砕材は、前記細長箱状体内にて糊材を用いて固化された状態で充填されたことを特徴とする請求項１記載の組立法枠。
【請求項６】
前記間伐材破砕材は、前記細長箱状体内にて充填され、上面が所定層厚をなすスラリー状砂粒土砂で被覆固定されたことを特徴とする請求項１記載の組立法枠。
【請求項７】
所定展開形状の板紙材を折り曲げて、上方が開放された細長箱状体を組み立て、該細長箱状体の複数個を、施工対象斜面上に格子枠を構成するように縦横方向に配置し、箱底面を貫通するように支持杭を前記斜面に打ち込んで、斜面上に位置固定するとともに、隣接配置された他の細長箱状体の端面との間を連結具で連結して、前記格子枠を斜面上に一体的に固定し、箱内部に間伐材破砕材を充填し、前記格子枠で囲まれた地表面と前記細長箱状体の表面とを一体として植生基材を吹き付け、前記施工対象斜面全体に所定層厚の生育基盤を形成し、斜面全体に植生を施すことを特徴とする斜面緑化方法。
【請求項８】
前記間伐材破砕材は、前記細長箱状体内にて充填された後に、上面が所定層厚をなすスラリー状砂粒土砂で被覆固定されることを特徴とする請求項７記載の斜面緑化方法。
【請求項９】
前記植生基材は、現場採取の土砂粒、針葉樹皮繊維基盤材、肥料、木質繊維材、接合剤、水および配合種子を大型タンク内で混合したスラリー状体であることを特徴とする請求項７記載の斜面緑化方法。
【発明の詳細な説明】
【０００１】
【発明の属する技術分野】
本発明は組立法枠および同法枠を用いた斜面緑化方法に係り、特に発生間伐材を多用することで環境に配慮し、さらに斜面緑化において容易な施工性と十分景観性の保持に考慮した組立法枠および同法枠を用いた斜面緑化方法に関する。
【０００２】
【従来の技術及び発明が解決しようとする課題】
斜面（以下、法面と同義に扱う。）地盤の土砂崩壊防止のためには緑化工法の実施が最善策であることが知られてきた。しかし、このような斜面では、吹き付けられた種子が活着し、安定した植生となるまでの間、構造物によって斜面の表面の風化、植生工の流亡、滑落等を防止する必要がある。このため一方法として、従来、格子枠等の法枠工が設置されてきた。この種の法枠工では、あらかじめ法枠部材を固定するために斜面に井桁状のトレンチ（溝）を掘削し、そこにプレキャストコンクリート製の梁部材などを縦横方向に敷設し、梁部材の端部を各格子点で連結し、斜面を覆うような格子枠を構築し、格子枠で囲まれた斜面部分に植生工を施し、斜面の安定、緑化による景観の向上を図っていた。
【０００３】
また最近では、施工直後の景観を考慮してプレキャストコンクリート部材の格子枠に代えて、長さ約１．０ｍ、直径約０．３ｍ程度の筒状麻袋に木材チップを充填し、これをトレンチ内に連続して敷設し、全体を井桁状に連結して法枠工として使用しているものもある。
【０００４】
上述した法枠工では枠体を構成する各部材を斜面上に安定して配置させるために斜面にトレンチを設ける必要があった。また後者では、木材チップを使用するという環境上の配慮がなされているものの、比較的急な勾配では設置後、長期間が経過すると、麻袋がズレやすくなるおそれがある。また、この麻袋上には通常、種子を蒔かないので、麻袋が風化して破れたりした場合、木材チップが露出してチップが流されたり、移動してしまうおそれがあり、景観上好ましくない。
【０００５】
そこで、本発明の目的は上述した従来の技術が有する問題点を解消し、景観上、見栄えよく斜面に安定して設置でき、また内部に間伐材を加工した充填材を詰めることにより、十分、環境上の配慮もされた組立法枠および同法枠を用いた斜面緑化方法を提供することにある。
【０００６】
【課題を解決するための手段】
上記目的を達成するために、本発明は、所定展開形状の板紙材を折り曲げて、上方が開放された細長箱状体を組み立て、該細長箱状体の複数個を、施工対象斜面上に格子枠を構成するように縦横方向に配置し、箱底面を貫通するように支持杭を前記斜面に打ち込んで、斜面上に位置固定するとともに、隣接配置された他の細長箱状体の端面との間を連結具で連結して、前記格子枠を斜面上に一体的に固定し、箱内部に間伐材破砕材を充填してなることを特徴とする。
【０００７】
前記板紙材は、表裏面または全体を撥水加工した撥水加工材であることが好ましい。
【０００８】
前記支持杭と連結具とは、間伐材加工品とし、さらに前記細長箱状体の所定位置に形成された開孔を介して位置決めされ、施工することが好ましい。
【０００９】
前記間伐材破砕材は、急斜面等の場合、前記細長箱状体内にて糊材を用いて固化された状態で充填することが好ましい。
【００１０】
前記間伐材破砕材は、前記細長箱状体内にて充填され、上面が所定層厚をなすスラリー状砂粒土砂で被覆固定することで、破砕材表層での保水効果を発揮させることが好ましい。
【００１１】
また、斜面緑化方法として、本発明は所定展開形状の板紙材を折り曲げて、上方が開放された細長箱状体を組み立て、該細長箱状体の複数個を、施工対象斜面上に格子枠を構成するように縦横方向に配置し、箱底面を貫通するように支持杭を前記斜面に打ち込んで、斜面上に位置固定するとともに、隣接配置された他の細長箱状体の端面との間を連結具で連結して、前記格子枠を斜面上に一体的に固定し、箱内部に間伐材破砕材を充填し、前記格子枠で囲まれた地表面と前記細長箱状体の表面とを一体として植生基材を吹き付け、前記施工対象斜面全体に所定層厚の生育基盤を形成し、斜面全体に植生を施すことを特徴とする。
【００１２】
このとき、前記植生基材は、現場採取の土砂粒、針葉樹皮繊維基盤材、肥料、木質繊維材、接合剤、水および配合種子を大型タンク内で混合したスラリー状体とすることが好ましい。
【００１３】
【発明の実施の形態】
以下、本発明による組立法枠および同法枠を用いた斜面緑化方法の一実施の形態について添付図面を参照して説明する。
［組立法枠の構成］
図１，図２は、本発明の組立法枠１を斜面２上で組み立てて箱状体とする手順について模式的に示した斜視図である（全体図として図９参照）。本発明の組立法枠１の材料には、本実施の形態では、厚さ２〜５ｍｍの紙器用板紙材として一般に使用される板紙が使用されている。これら所定形状に型取りされ、裁断された板紙１０は、工場において紙表面の全面に撥水加工が施された撥水加工材である。この板紙１０の寸法は、組立られた１個の法枠部材の寸法が長さ０．５〜２．０ｍ，幅０．２〜０．５ｍ，高さ０．１〜０．３ｍ程度の大きさを有する、上面が開放されたボックス状となるような展開図寸法に型取り、裁断されている。また、地表面に整地できない程度の不陸が残ったような場合には長さ０．５〜０．７５ｍ程度の短い長さの箱状体を地表面に沿って複数個、たとえば２，３個繋げて１本の法枠を構成するようにしてもよい。板紙１０は施工現場に複数枚を重ねた状態で搬入され、現場において上部が開放された長方形の箱状体１１に組み立てられる。このとき本実施の形態では、図２に示したように、組立時に短辺方向の端面が２重に補強されるような形状に展開図が構成されているが、長辺方向の端部に重ね代が位置するような展開図としてもよいことは言うまでもない。また、板紙としては紙器用板紙以外に厚さ５〜２０ｍｍ程度の段ボール原紙を用いてもよく、本明細書において板紙材は紙器用板紙、段ボール原紙を指すものとする。なお、板紙１０は、表裏面に撥水加工を施す他、全体に樹脂含浸させたり、塗工（コーティング）等により、水分を含んで箱状体が崩壊しないように、防水、耐水加工を施した板紙でもよいことはいうまでもない。なお、発明の実施の形態において、組立法枠とは、後述する箱状体が斜面上に固定され、その内部に間伐材破砕材を充填した法枠工をいうものとする。
【００１４】
板紙１０の各面の所定位置には複数の円形開孔が形成されている。これらの円形開孔は、展開形状の平板を箱状の箱状体１１に組み立てる際、および各箱状体１１同士の連結のための部材を取り付ける連結開孔１３として、また箱状体１１を斜面２に固定する際の支持杭３（図６参照）の杭貫通孔１４として利用される。すなわち、箱状体１１の底面に形成された複数個の杭貫通孔１４は支持杭３の打ち込み箇所を示す。また各側面に形成された連結開孔１３は、斜面２の縦断方向、横断方向に沿ってそれぞれ連結される他の箱状体１１との連結位置を示す。これら箱状体１１の連結には後述する連結具２０が使用される。連結開孔１３、杭貫通孔１４のそれぞれの直径は通常３０〜５０ｍｍ程度に設定されている。これらは支持杭３の直径や連結具２０の直径（通常２５〜３０ｍｍ）に対して十分な大きさであるが、これは箱状体１１間の連結に柔軟性を持たせるとともに、箱状体１１内に流入した雨水や地下水を排水する通水孔としても機能させることを可能にするためである。
【００１５】
板紙１０に形成された連結開孔１３、杭貫通孔１４として、格子状に配置される箱状体１１の長手方向での連結のために、箱側面には各４個（うち２個は二重に連結させるためのもの）、側面４方向のボックスとの接合用に少なくとも各２個の計８個の連結開孔１３が、また箱底面には少なくとも２個（長さ１ｍ以下のボックスの場合）ないし４個の杭貫通孔１４が所定間隔をあけて形成されている。その他の開孔として、地表面下を流れる地下水の受け入れのための通水孔（図示せず）を設けてもよい。したがって板紙１０の１枚当たりに作られる開孔は、ボックス全体で少なくとも２０個程度となる。図３は、これら開孔の補強部を拡大して示している。同図に示したように、各開孔には厚さ０．１〜０．５ｍｍのリング状鋼板からなる補強金具１５が各開孔１３，１４の周縁を囲むように板紙１０の表面に貼着されている。これら補強金具１５は、あらかじめ工場で開孔加工時に板紙１０に貼着される。
【００１６】
箱状体１１の組立は、原則として連結開孔１３で連結具２０を用いて各部を固定、連結して完成するが、地下水や表面水の流下が多いような斜面２では糊材を用いて重ね代部分を短辺方向側面に重ねるようにして貼り付けて固定を行い、箱状体１１の強化を図ることが好ましい。
【００１７】
［箱状体の固定・連結］
次いで、箱状体１１を設置するのに可能な程度に平坦に均された施工斜面２上に、現場で組み立てた箱状体１１を設置していく。このときトレンチを設ける必要はない。各箱状体１１を所定位置に据え付けた状態で所定長さの支持杭３を箱状体１１の底面に形成された杭貫通孔１４を介して斜面２に打ち込み、箱状体１１を斜面２上に固定する。支持杭３は十分に打ち込み、後工程の邪魔にならないように、杭頭を箱上面の高さ程度に切断しておく（図６参照）。本実施の形態では、支持杭３として所定の杭長に切断した間伐材が用いられている。さらに隣接して据え付けられた箱状体１１の端面１１ａ同士を、連結具２０によって連結する。この連結具２０は、図４に示したような両端面にそれぞれ直交した方向に１筋に切れ目が入った間伐材を切断して作った短い円筒状ピン２１と、切れ目に打ち込まれる木製くさび２２からなる。図５は、箱状体１１を組み立てる際の連結具２０の利用手順を模式的に示した平面図である。一方のくさび２２を打ち込んだ状態の円筒状ピン２１を連結開孔（図示せず）にセットし、反対側から円筒状ピン２１の端面にくさび２２を打ち込んで箱状体１１の端面１１ａ同士を連結させることができる。このようにして最終的には、図８に示したように、対象となる斜面２表面に沿って縦横方向をなして箱状体１１を連結して敷設することで、格子枠としての法枠工を施工することができる。
【００１８】
［間伐材破砕材の充填］
さらに、斜面２に所定の格子枠を構成するように固定された各箱状体１１内には、間伐材破砕材（以下、単に破砕材４と記す。）を充填し、組立法枠１を完成させる（図９参照）。この破砕材４は、森林維持管理によって発生する間伐材、すなわち伐採材、伐根材を公知のチッパー装置、破砕装置等によって所定の寸法に細かくされた木材処理品である。その寸法、形状は、破砕装置等の仕様や、処理時の設定によって様々であるが、この箱状体１１内に充填するためには、できるだけ充填密度が高く、かつ作業性のよい寸法のものを選定する。通常、長さ３〜１５ｃｍ、太さ３ｃｍ程度に処理したものを使用する。長さ３ｃｍ以下のものは取り扱いが面倒なため使用を避けることが好ましい。破砕材４は、斜面２に固定された各箱状体１１がほぼ満杯となるように充填されるが、通常は箱状体１１内の支持杭３の突出部分に、枝や根系の形状を残す破砕材４の一部が絡まり、充填された破砕材４全体がボックス内に保持され、外部にこぼれることがない。しかし、勾配が特に急な場合には、糊材により破砕材４の小片同士を粗く、糊付けすることも好ましい。この場合、天然系の糊材、たとえば生ゴムを原料とするゴム糊、牛乳を原料とするカゼインなどを用いることが好ましい。この破砕材４の充填作業は、斜面に沿って設置されたベルトコンベアや、斜面下に配備されたクレーン車で操作されるバケットによる搬入を行い、箱状体１１内に所定密度で充填するために、振動バイブレータ等によって振動締固めを行い、その後、表面全体を均すことが好ましい。このとき、必要に応じて現場採取の砂粒土砂をスラリー状にして所定厚さ（たとえば３ｃｍ程度）に吹き付け、破砕材表面を被覆することも好ましい。これにより充填された破砕材の安定を図るとともに、植生基材で被覆した際に、破砕材表層部分での保水効果を持たせることが好ましい。
【００１９】
［吹付工］
格子枠の各箱状体１１内への破砕材４の充填を終えたら、斜面２全面の植生の形成のために吹付工５を行う（図１０参照）。本実施の形態では、厚層基材吹付工によって所定層厚の生育基盤を形成するように、格子枠で囲まれた斜面部分および箱状体表面に植生基材６を吹き付けるものとした。吹き付ける植生基材６は、現場採取の土砂粒、針葉樹皮繊維基盤材、肥料、木質系繊維材、接合剤、水および配合種子を大型タンク内で混合したスラリー状のものを用い、公知の高圧ポンプを用いて吹き付けを行う。接合剤としては、セメントあるいは高分子系樹脂接着剤等を用いることができる。植生基材６の吹き付けは、格子枠で囲まれた枠内のみならず、破砕材４（図９）を充填した法枠表面にも所定厚で行うことで、斜面２は法枠面を含め一体として緑化することができる。枠体で囲まれた地表面部分の層厚は１００ｍｍ程度とすることが好ましい。吹付け厚は施工の条件により２０〜１００ｍｍの範囲で設定し、均一厚を確保するようにする。また植物が十分生長して法枠を完全に被覆できるようになるまで、法枠内に充填された破砕材４などが外部に露出しない程度の層厚で被覆することが景観上、好ましい。
【００２０】
【発明の効果】
以上の説明から明らかなように、本発明によれば、地球温暖化ガスの吸収効果のある森林の保護のために、その利用先が広く求められている間伐材を最大限利用してこれを法面緑化に利用することができ、斜面全面に安定した法枠工を設置し、斜面全体の植生形成を確実に行うことができるという効果も得られる。
【図面の簡単な説明】
【図１】組立法枠の箱状体の組立て状態を示した斜視図（その１）。
【図２】組立法枠の箱状体の組立て状態を示した斜視図（その２）。
【図３】撥水加工板に形成された開孔補強部を拡大して示した斜視図。
【図４】連結具とくさびの構成を示した斜視図。
【図５】連結具による箱状体の連結手順の例を示した模式図。
【図６】箱状体の斜面への固定および連結状態を模式的に示した斜視図。
【図７】図６に示した箱状体内に間伐材破砕材を充填した状態を示した斜視図。
【図８】箱状体の斜面への敷設状態を示した全体斜視図。
【図９】図８に示した箱状体内に間伐材破砕材を充填した状態を示した全体斜視図。
【図１０】図９に示した箱状体表面および地表面に植生基材を吹き付け、斜面全体を覆った状態を示した全体斜視図。
【符号の説明】
１　組立法枠
２　斜面
４　破砕材
１０　板紙
１１　箱状体
【図１】
2004052435.tif 000003
【図２】
2004052435.tif 000004
【図３】
2004052435.tif 000005
【図４】
2004052435.tif 000006
【図５】
2004052435.tif 000007
【図６】
2004052435.tif 000008
【図７】
2004052435.tif 000009
【図８】
2004052435.tif 000010
【図９】
2004052435.tif 000011
【図１０】
2004052435.tif 000012